(57)【要約】【課題】放射線画像撮影装置からの無線方式による信号値の転送に使用するチャンネルを切り替える際、チャンネルが切り替えられていることを放射線技師等が的確に把握することが可能な放射線画像撮影システムを提供する。【解決手段】放射線画像撮影システム１００は、複数の放射線検出素子７からそれぞれ読み出した信号値Ｄを無線方式で転送する放射線画像撮影装置１と、放射線画像撮影装置１から転送された信号値Ｄに基づいて生成された放射線画像ｐを表示する表示装置Ｃと、放射線画像撮影装置１からの無線方式による信号値Ｄの転送に使用するチャンネルを他のチャンネルに切り替えるチャンネル切替制御部６２とを備え、表示装置Ｃは、チャンネル切替制御部６１がチャンネルの切り替えを行っている間、通知部Ｃａによりチャンネルの切り替え中であることを通知する。【選択図】図４
2017143940.tif 000002
【特許請求の範囲】
【請求項１】
複数の放射線検出素子からそれぞれ読み出した信号値を無線方式で転送する放射線画像撮影装置と、
前記放射線画像撮影装置から転送された前記信号値に基づいて生成された放射線画像を表示する表示装置と、
前記放射線画像撮影装置からの無線方式による前記信号値の転送に使用するチャンネルを他のチャンネルに切り替えるチャンネル切替制御部と、
を備え、
前記表示装置は、通知部を備え、前記チャンネル切替制御部が前記チャンネルの切り替えを行っている間、前記通知部により前記チャンネルの切り替え中であることを通知することを特徴とする放射線画像撮影システム。
【請求項２】
前記表示装置は、前記通知部により、前記チャンネルの切り替え中であることを通知するともに、前記チャンネルの切り替えに要する時間を通知することを特徴とする請求項１に記載の放射線画像撮影システム。
【請求項３】
前記チャンネル切替制御部は、前記表示装置が送信した前記チャンネルの切り替えを指示する切り替え信号を受信した場合に、前記チャンネルを切り替えることを特徴とする請求項１または請求項２に記載の放射線画像撮影システム。
【請求項４】
前記チャンネル切替制御部は、前記放射線画像撮影装置から無線方式で転送された前記信号値を受信可能なアクセスポイントに設けられていることを特徴とする請求項１から請求項３のいずれか一項に記載の放射線画像撮影システム。
【請求項５】
前記表示装置の前記通知部は、前記通知を、表示、音声、振動のいずれか１つまたはそれらの組み合わせで行うことを特徴とする請求項１から請求項４のいずれか一項に記載の放射線画像撮影システム。
【請求項６】
前記表示装置の前記通知部は、前記チャンネル切替制御部による前記チャンネルの切り替えが完了した時点で、その旨を表示、音声、振動のいずれか１つまたはそれらの組み合わせで通知することを特徴とする請求項１から請求項５のいずれか一項に記載の放射線画像撮影システム。
【請求項７】
前記表示装置は、前記放射線画像を表示可能な表示部を有するコンソールであることを特徴とする請求項１から請求項６のいずれか一項に記載の放射線画像撮影システム。
【請求項８】
無線の干渉を検知可能なチャンネル干渉検知部を備え、
前記表示装置は、前記チャンネル干渉検知部が無線の干渉を検知した際に、前記通知部により無線の干渉を検知したことを通知することを特徴とする請求項１から請求項７のいずれか一項に記載の放射線画像撮影システム。
【請求項９】
無線の干渉を検知可能なチャンネル干渉検知部を備え、
前記表示装置は、前記チャンネル干渉検知部が無線の干渉を検知した際には、前記チャンネルの切り替えを指示する信号の入力があった場合に、前記チャンネル切替制御部に、前記切り替え信号を送信することを特徴とする請求項１から請求項８のいずれか一項に記載の放射線画像撮影システム。
【請求項１０】
無線の干渉を検知可能なチャンネル干渉検知部を備え、
前記表示装置は、前記チャンネル干渉検知部が無線の干渉を検知した際には、即座に前記チャンネル切替制御部に前記切り替え信号を送信することを特徴とする請求項１から請求項８のいずれか一項に記載の放射線画像撮影システム。
【請求項１１】
前記チャンネル干渉検知部は、所定のレーダーの干渉波を検知可能とされており、
前記表示装置は、前記チャンネル干渉検知部が前記所定のレーダーの干渉波を検知した際には、即座に、前記チャンネル切替制御部に、前記チャンネルの切り替えを指示する切り替え信号を送信することを特徴とする請求項８から請求項１０のいずれか一項に記載の放射線画像撮影システム。
【請求項１２】
前記表示装置は、前記チャンネル干渉検知部が前記所定のレーダーの干渉波を検知した際に、前記通知部によりレーダーの干渉波を検知したことを通知することを特徴とする請求項１１に記載の放射線画像撮影システム。
【請求項１３】
前記チャンネル干渉検知部は、前記放射線画像撮影装置から無線方式で転送された前記信号値を受信可能なアクセスポイントに設けられていることを特徴とする請求項８から請求項１２のいずれか一項に記載の放射線画像撮影システム。
【請求項１４】
前記チャンネル干渉検知部は、無線通信で使用可能な各チャンネルにおける無線の干渉度合を測定可能とされており、
前記チャンネル切替制御部は、前記信号値の転送に使用しているチャンネルを、前記チャンネル干渉検知部が測定した無線の干渉度合がより少ない他のチャンネルに切り替えることを特徴とする請求項８から請求項１３のいずれか一項に記載の放射線画像撮影システム。
【発明の詳細な説明】
【技術分野】
【０００１】
本発明は、放射線画像撮影システムに係り、特に、放射線画像撮影装置から無線方式でデータを転送する放射線画像撮影システムに関する。
【背景技術】
【０００２】
照射された放射線の線量に応じて電荷を複数の放射線検出素子（後述する図２の複数の放射線検出素子７参照）でそれぞれ発生させ、発生した電荷を信号値としてそれぞれ読み出す放射線画像撮影装置（Flat Panel Detector）を用いて放射線画像を撮影する放射線画像撮影システムが種々開発されている。そして、このような放射線画像撮影システムでは、放射線画像撮影装置で読み出された信号値をコンソール等に転送し、コンソール等で信号値等に基づいて放射線画像を生成するように構成される。
【０００３】
そして、放射線画像撮影装置からコンソール等に信号値を転送する場合、放射線画像撮影装置とコンソール等とをケーブル等で接続して有線方式で転送するように構成することも可能であるが、放射線画像撮影装置からコンソール等に無線方式で信号値等を転送するように構成される場合もある。
【０００４】
例えば、後述するように、放射線画像撮影装置を用いた撮影が病院等の施設内に設けられた撮影室で行われる場合も同様であるが、例えば、コンソールや放射線発生装置等を搭載した回診車と放射線画像撮影装置とを病室等に持ち込んで撮影を行う場合、放射線画像撮影装置とコンソール等とをケーブルで接続した状態で撮影を行うと、ケーブルが放射線技師等の脚に絡まる等して撮影の妨げになる可能性があるため、このような場合には、放射線画像撮影装置とコンソール等との間の通信が無線方式で行われるように構成される場合が多い。
【０００５】
一方、近年、医療機器や、ＲＩＳ（Radiology Information System；放射線科情報システム）等の院内機器やネットワーク等において、無線が使用される機会が従来に比べて格段に増えている。そのため、上記のように、例えば放射線画像撮影装置からコンソール等に信号値を無線方式で転送する際に、信号値の転送に使用するチャンネルにおいて、信号値の転送と他の機器から発信された無線通信とが干渉する事態が比較的頻繁に発生するようになっている。
【０００６】
そして、例えば特許文献１では、放射線画像撮影装置（同文献では電子カセッテ）からの信号値の転送との干渉が生じる他の無線通信装置の有無を判定し、当該他の無線通信装置が存在する場合、当該他の無線通信装置を規制対象として通信規制を行い、放射線画像撮影装置からコンソール等への信号値の転送を優先して行わせる放射線画像撮影システムの発明が開示されている。この場合の通信規制には、例えば、通信の停止や、転送レート（すなわち単位時間あたりのデータ転送量）の制限、チャンネルの切り替え等が含まれる。
【先行技術文献】
【特許文献】
【０００７】
【特許文献１】特開２０１５−５８０７７号公報
【発明の概要】
【発明が解決しようとする課題】
【０００８】
しかしながら、上記のように、他の無線通信装置よりも優先して放射線画像撮影装置からコンソール等への信号値の無線方式での転送を優先するために他の無線通信装置に対して通信規制を行うことができない場合も少なくない。また、例えば無線ＬＡＮの関連規格であるＩＥＥＥ８０２．１１ａでは、ＤＦＳ（Dynamic Frequency Selection）により気象レーダー等の所定のレーダーの電波との干渉を避けること（すなわちレーダーの干渉波を検知した場合には検知した側が回避動作を取ること）が義務付けられている。
【０００９】
そのため、例えば５ＧＨｚの帯域に設けられたチャンネルを使用して放射線画像撮影装置からコンソール等に無線方式で信号値を転送する際に所定のレーダーの干渉波を検知した場合には、特許文献１に記載されている方法を用いて上記の所定のレーダーを規制対象として通信規制を行うことはできない。
【００１０】
また、病院等の施設において、院内の医療機器やネットワーク等の間で例えば無線ＬＡＮにより無線通信を行う際、２．４ＧＨｚや５ＧＨｚの各帯域に設けられた各チャンネルのうち、互いに周波数が重なり合わない数個のチャンネルを予め設定しておき、それらのチャンネルを使って院内の医療機器やネットワーク等での無線通信を行うようにしている施設が多い。
【００１１】
しかし、例えば上記のように撮影が病院等の撮影室で行われる場合、撮影室の近傍で、院内の医療機器やネットワーク以外の多種多様な無線通信装置が種々のチャンネルを使って無線通信を行う場合がある。そして、そのような場合、上記のように医療機器等の間では使用するチャンネルを周波数の重なり合いが生じないように設定していても、撮影室内の医療機器等と、撮影室近傍の医療機器等以外の他の無線通信装置との間で、使用するチャンネルの周波数が重なり合い無線の干渉が生じる場合がある。
【００１２】
また、例えば上記のようにコンソールや放射線発生装置等を搭載した回診車と放射線画像撮影装置とを病室等に持ち込んで撮影を行う場合も、病室内やその近傍で他の無線通信装置が種々のチャンネルを使って無線通信を行っていると、医療機器等とそれらの医療機器等以外の無線通信装置との間で、使用するチャンネルの周波数が重なり合って無線の干渉が生じる場合がある。
【００１３】
特にコンソール等を搭載した回診車を院内の各所に持ち運んで撮影を行う場合、院内の場所ごとに医療機器等以外の無線通信装置が使用するチャンネルが異なるため、院内の場所ごとに無線の干渉を生じるチャンネルが異なる状態になる。すなわち、例えば院内のある場所（病室等）ではあるチャンネルを使用して放射線画像撮影装置からコンソール等に無線方式で信号値を転送しても無線の干渉は生じないが、回診車を別の場所に移動させ、同じチャンネルで信号値の転送を行うと、他の無線通信装置との間で無線の干渉が発生するといった事態が生じ得る。
【００１４】
そして、例えば放射線画像撮影装置からコンソール等に信号値を転送するような場合に、信号値の転送に使用するチャンネルで他の無線通信装置との無線の干渉が生じると、放射線画像撮影装置からコンソール等への信号値の転送に使用するチャンネルを他のチャンネルに切り替えなければならなくなる場合がある。そして、チャンネルを切り替える際には、通常、１分程度、信号値の転送が一時的に中断される。
【００１５】
しかし、このようにチャンネルを切り替える際、チャンネルが切り替えられていることに放射線技師等が気付かないと、例えば上記のようにチャンネルを切り替えているために信号値の転送が中断しているにもかかわらず、信号値の転送が中断している原因が分からず業務の妨げになる可能性がある。また、信号値の転送が中断している原因がシステムに故障が生じたためであると勘違いして不要な操作や処理を行ってしまう等して、業務を適切に行うことの妨げになってしまう可能性もある。
【００１６】
本発明は、上記の問題点を鑑みてなされたものであり、放射線画像撮影装置からの無線方式による信号値の転送に使用するチャンネルを切り替える際、チャンネルが切り替えられていることを放射線技師等が的確に把握することが可能な放射線画像撮影システムを提供することを目的とする。
【課題を解決するための手段】
【００１７】
前記の問題を解決するために、本発明の放射線画像撮影システムは、
複数の放射線検出素子からそれぞれ読み出した信号値を無線方式で転送する放射線画像撮影装置と、
前記放射線画像撮影装置から転送された前記信号値に基づいて生成された放射線画像を表示する表示装置と、
前記放射線画像撮影装置からの無線方式による前記信号値の転送に使用するチャンネルを他のチャンネルに切り替えるチャンネル切替制御部と、
を備え、
前記表示装置は、通知部を備え、前記チャンネル切替制御部が前記チャンネルの切り替えを行っている間、前記通知部により前記チャンネルの切り替え中であることを通知することを特徴とする。
【発明の効果】
【００１８】
本発明のような方式の放射線画像撮影システムによれば、放射線画像撮影装置からの無線方式による信号値の転送に使用するチャンネルを切り替える際、チャンネルが切り替えられていることを放射線技師等が的確に把握することが可能となる。
【図面の簡単な説明】
【００１９】
【図１】放射線画像撮影装置の外観を示す斜視図である。
【図２】放射線画像撮影装置の等価回路を表すブロック図である。
【図３】プレビュー用の信号値の抽出の仕方の一例を説明する図である。
【図４】本実施形態に係る放射線画像撮影システムの１つの構成例を表す図である。
【図５】本実施形態に係る放射線画像撮影システムの別の構成例を表す図である。
【図６】操作者に携帯させた携帯端末をコンソールとして用いることを説明する図である。
【図７】表示装置の表示部上に表示する表示の例を表す図である。
【図８】表示装置の表示部上に表示する表示の例を表す図である。
【図９】表示装置の表示部上に表示する表示の例を表す図である。
【図１０】表示装置の表示部上に表示する表示の例を表す図である。
【発明を実施するための形態】
【００２０】
以下、本発明に係る放射線画像撮影システムの実施の形態について、図面を参照して説明する。
【００２１】
なお、以下では、放射線画像撮影装置が、複数の放射線検出素子７（後述する図２参照）が二次元状に配列された図示しないセンサーパネルが筐体２（後述する図１参照）内に収納された、いわゆる可搬型である場合について説明するが、本発明はこの場合に限定されず、例えば、センサーパネルが支持台等と一体的に形成された、いわゆる専用機型（据え付け型等ともいう。）の放射線画像撮影装置であってもよい。
【００２２】
［放射線画像撮影装置の構成について］
まず、放射線画像撮影装置の構成等について簡単に説明する。図１は、放射線画像撮影装置の外観を示す斜視図であり、図２は、放射線画像撮影装置の等価回路を表すブロック図である。放射線画像撮影装置１は、図示しないセンサー基板上に二次元状（マトリクス状）に配列された複数の放射線検出素子７（図２参照）が筐体２（図１参照）内に収納されて形成されている。
【００２３】
そして、図１に示すように、放射線画像撮影装置１の筐体２の一方の側面には、電源スイッチ２５や切替スイッチ２６、コネクター２７、インジケーター２８等が配置されている。また、図示を省略するが、筐体２の反対側の側面には、外部と無線方式で通信を行うためのアンテナ２９（後述する図２参照）が設けられている。
【００２４】
図２に示すように、各放射線検出素子７には、バイアス線９が接続されており、バイアス線９やそれらの結線１０を介してバイアス電源１４から逆バイアス電圧が印加される。また、各放射線検出素子７には、スイッチ素子としてＴＦＴ（Thin Film Transistor）８が接続されており、ＴＦＴ８は信号線６に接続されている。そして、各放射線検出素子７では、照射された放射線の線量に応じた電荷が各放射線検出素子７内でそれぞれ発生するようになっている。
【００２５】
また、走査駆動手段１５では、配線１５ｃを介して電源回路１５ａから供給されたオン電圧とオフ電圧がゲートドライバー１５ｂで切り替えられて走査線５の各ラインＬ１〜Ｌｘに印加される。そして、各ＴＦＴ８は、走査線５を介してオフ電圧が印加されるとオフ状態になり、放射線検出素子７と信号線６との導通を遮断して、電荷を放射線検出素子７内に蓄積させる。また、走査線５を介してオン電圧が印加されるとオン状態になり、放射線検出素子７内に蓄積された電荷を信号線６に放出させる。
【００２６】
各信号線６は、読み出しＩＣ１６内の各読み出し回路１７にそれぞれ接続されている。そして、信号値Ｄの読み出し処理の際には、ゲートドライバー１５ｂから走査線５の各ラインＬ１〜Ｌｘにオン電圧が順次印加される。そして、ＴＦＴ８がオン状態になると、放射線検出素子７から電荷がＴＦＴ８や信号線６を介して読み出し回路１７に流れ込み、増幅回路１８で、流れ込んだ電荷の量に応じた電圧値が出力される。
【００２７】
相関二重サンプリング回路（図２では「ＣＤＳ」と記載されている。）１９は、増幅回路１８から出力された電圧値をアナログ値の信号値Ｄとして読み出して出力し、出力された信号値Ｄはアナログマルチプレクサー２１を介してＡ／Ｄ変換器２０に順次送信され、Ａ／Ｄ変換器２０でデジタル値の信号値Ｄに順次変換されて記憶手段２３に順次保存されるようになっている。
【００２８】
制御手段２２は、図示しないＣＰＵ（Central Processing Unit）やＲＯＭ（Read Only Memory）、ＲＡＭ（Random Access Memory）、入出力インターフェース等がバスに接続されたコンピューターや、ＦＰＧＡ（Field Programmable Gate Array）等で構成されている。専用の制御回路で構成されていてもよい。
【００２９】
また、制御手段２２には、ＳＲＡＭ（Static ＲＡＭ）やＳＤＲＡＭ（Synchronous ＤＲＡＭ）、ＮＡＮＤ型フラッシュメモリー等で構成される記憶手段２３や、リチウムイオンキャパシター等で構成される内蔵電源２４が接続されており、また、前述したアンテナ２９やコネクター２７を介して外部と無線方式や有線方式で通信を行うための通信部３０が接続されている。
【００３０】
また、制御手段２２は、上記のように、バイアス電源１４から各放射線検出素子７への逆バイアス電圧の印加を制御したり、走査駆動手段１５や読み出し回路１７等の動作を制御して、各放射線検出素子７からの信号値Ｄの読み出し処理を行わせ、読み出された信号値Ｄを記憶手段２３に保存したり、或いは、保存された信号値Ｄを、通信部３０を介して外部に転送する等の制御を行うようになっている。
【００３１】
一方、本実施形態では、放射線画像撮影装置１の制御手段２２は、上記のようにして各放射線検出素子７から各信号値Ｄを読み出すと、読み出した信号値Ｄの中から所定の割合でプレビュー用の信号値Ｄpreを抽出し、抽出したプレビュー用の信号値Ｄpreを他の信号値Ｄよりも先にコンソールＣに転送し、その後、残りの信号値ＤをコンソールＣに転送するようになっている。なお、プレビュー用の信号値Ｄpreを抽出せずに最初から全ての信号値ＤをコンソールＣに転送するように構成することも可能である。
【００３２】
プレビュー用の信号値Ｄpreの抽出の仕方としては、例えば、例えば図３に示すように、読み出した信号値Ｄ（ｎ，ｍ）の中から、図中に斜線を付して示すように、所定本数（図３の場合は４本）の走査線５ごとに１本の割合で指定された走査線５に接続されている各放射線検出素子７から読み出された信号値Ｄ（ｎ，ｍ）を抽出して、プレビュー用の信号値Ｄpreとするように構成することが可能である。
【００３３】
なお、図３において、Ｌ１、Ｌ２、…は走査線５のラインＬ１、Ｌ２、…（図２参照）を表し、Ｄ（ｎ，ｍ）は二次元状に配列された各放射線検出素子７のうちのｎ行、ｍ列目の放射線検出素子７（ｎ，ｍ）から読み出された信号値Ｄを表す。また、プレビュー用の信号値Ｄpreの抽出の仕方は、これに限定されず、例えば、３×３個や４×４個等の放射線検出素子７から読み出された各信号値Ｄの中から１個の割合でプレビュー用の信号値Ｄpreを抽出するように構成することも可能である。
【００３４】
［放射線画像撮影システムについて］
次に、本実施形態に係る放射線画像撮影システム１００について説明する。放射線画像撮影システム１００は、例えば図４に示すように撮影室Ｒａ内や前室Ｒｂ内に構成することも可能であり、また、図５に示すように、回診車７０に搭載する等して構成することも可能である。
【００３５】
放射線画像撮影システム１００が撮影室Ｒａ内等に構成される場合、例えば図４に示すように、放射線画像撮影装置１を撮影台５１のカセッテ保持部（カセッテホルダー等ともいう。）５１ａに装填して用いるように構成することが可能である。なお、図４において、撮影台５１Ａは立位撮影用の撮影台を表し、撮影台５１Ｂは臥位撮影用の撮影台を表している。また、例えば、放射線画像撮影装置１を臥位撮影用の撮影台５１Ｂの天板上に横臥した図示しない被写体と天板との間に差し込む等して配置することも可能である。
【００３６】
撮影室Ｒａには、図示しない被写体を介して放射線画像撮影装置１に放射線を照射する放射線発生装置５２が少なくとも１つ設けられている。また、撮影室Ｒａには、撮影室Ｒａ内の各装置等や撮影室Ｒａ外の各装置等の間の無線方式や有線方式での通信等を中継するためのアンテナ５３を備えたアクセスポイント５４が設けられている。
【００３７】
なお、本実施形態では、放射線画像撮影装置１とアクセスポイント５４間の通信は、放射線画像撮影装置１のアンテナ２９（図２参照）とアクセスポイント５４のアンテナ５３（図４参照）とを介した無線方式で行われるようになっている。そのため、上記のように放射線画像撮影装置１からコンソールＣに信号値Ｄやプレビュー用の信号値Ｄpreを転送する際には、放射線画像撮影装置１から無線方式で転送された信号値Ｄやプレビュー用の信号値Ｄpreがアクセスポイント５４で受信され、アクセスポイント５４を介してコンソールＣに転送されるようになっている。
【００３８】
また、本実施形態では、アクセスポイント５４には、チャンネル干渉検知部６１とチャンネル切替制御部６２とが設けられているが、この点については後で説明する。また、アクセスポイント５４には、放射線発生装置５２のジェネレーター５５やコンソールＣ等も接続されており、アクセスポイント５４は、放射線画像撮影装置１やコンソールＣ、放射線発生装置５２のジェネレーター５５等との間の通信を中継するようになっている。
【００３９】
さらに、図示を省略するが、アクセスポイント５４は、前述したＲＩＳやＨＩＳ（Hospital Information System）、ＰＡＣＳ（Picture Archiving and Communication System）等の院内システムとネットワーク等を介して接続されており、その接続経路の一部で無線通信が用いられている場合もある。
【００４０】
また、放射線発生装置５２のジェネレーター５５は、放射線技師等の操作者により管電圧や管電流、照射時間（或いはｍＡｓ値）等が設定されると、放射線発生装置５２から、設定された管電圧等に応じた線量の放射線を照射させるなど、放射線発生装置５２に対して種々の制御を行うようになっている。
【００４１】
前室（操作室等ともいう。）Ｒｂには、放射線発生装置５２の操作卓５７が設けられており、操作卓５７には、放射線技師等の操作者が操作してジェネレーター５５に対して放射線の照射開始等を指示するための曝射スイッチ５６が設けられている。また、前室Ｒｂには、コンピューター等で構成されたコンソールＣが設置されている。なお、コンソールＣを撮影室Ｒａや前室Ｒｂの外側や別室等に設けるように構成することも可能である。
【００４２】
コンソールＣには、ＣＲＴ（Cathode Ray Tube）やＬＣＤ（Liquid Crystal Display）等で構成される表示部Ｃａが設けられており、マウスやキーボード等の入力手段Ｃｂが接続されている。また、コンソールＣには、ＨＤＤ（Hard Disk Drive）等で構成された記憶手段Ｃｍが接続され、或いは内蔵されている。
【００４３】
一方、前述したように、図５に示すように、放射線発生装置５２やコンソールＣを回診車７０に搭載する等して放射線画像撮影システム１００を構成し、回診車７０を病室Ｒ１等に持ち込んで撮影を行うように構成することも可能である。なお、この場合、放射線発生装置５２のジェネレーター５５（図５では図示省略）やアクセスポイント５４（チャンネル干渉検知部６１とチャンネル切替制御部６２を含む。）等は、回診車７０の本体部内に収納されている。
【００４４】
そして、この場合、放射線画像撮影装置１は、図５に示すようにベッドＢｅと被写体Ｈである患者との間に差し込まれたり、或いは患者の身体にあてがわれるようにして用いられる。そして、この場合も、放射線技師等の操作者Ｔが曝射スイッチ５６を操作することで放射線発生装置５２から放射線が照射されて撮影が行われ、撮影後、放射線画像撮影装置１からコンソールＣにプレビュー用の信号値Ｄpre等が無線方式で転送される。
【００４５】
［コンソールＣの構成について］
なお、コンソールＣを、図４や図５に示したようなデスクトップ型やノート型のコンピューターで構成することも可能であるが、例えば図６に示すように、放射線技師等の操作者Ｔに携帯端末を携帯させるように構成し、携帯端末をコンソールＣとするように構成することも可能である。以下、コンソールＣという場合、デスクトップ型やノート型のコンピューター等（図４や図５参照）の場合だけでなく、携帯端末（図６参照）の場合も含まれる。
【００４６】
また、コンソールＣを携帯端末で構成する場合（図６参照）には、アクセスポイント５４とコンソールＣとの間の通信は無線方式で行われるが、コンソールＣをデスクトップ型やノート型のコンピューターで構成する場合（図４や図５参照）、アクセスポイント５４とコンソールＣとの間の通信を無線方式と有線方式のいずれの方式で行うように構成することも可能である。
【００４７】
そして、コンソールＣは、前述したように、撮影後、放射線画像撮影装置１からプレビュー用の信号値Ｄpreが転送されてくると、転送されてきたプレビュー用の信号値Ｄpreに基づいてプレビュー用の放射線画像ｐpre（図示省略）を生成し、生成したプレビュー用の放射線画像ｐpreを表示部Ｃａに表示するようになっている。そして、放射線技師等の操作者Ｔは、コンソールＣの表示部Ｃａ上に表示されたプレビュー用の放射線画像ｐpreを見て再撮影の要否等を判断するようになっている。
【００４８】
本実施形態では、このように、コンソールＣが、放射線画像撮影装置１から転送された信号値（上記の場合はプレビュー用の信号値Ｄpre）に基づいて生成された放射線画像（上記の場合はプレビュー用の放射線画像ｐpre）を表示可能な本発明の表示装置として機能するようになっている。なお、以下、コンソールＣが表示装置として機能する場合、表示装置Ｃと記載して説明するが、表示装置を、コンソールＣとは別体の装置として構成することも可能である。
【００４９】
また、コンソールＣは、前述したように、プレビュー用の信号値Ｄpreの転送後、放射線画像撮影装置１から残りの信号値Ｄ（すなわちプレビュー用の信号値Ｄpre以外の信号値Ｄ）が転送されてくると、それらとプレビュー用の信号値Ｄpreとをあわせて全信号値Ｄを復元する。そして、復元した各信号値Ｄに対してゲイン補正や欠陥画素補正、撮影部位に応じた階調処理等の画像処理を行って放射線画像ｐ（図示省略）を生成するようになっている。なお、本実施形態では、コンソールＣは、生成した放射線画像ｐも表示部Ｃａ上に表示するようになっているが、放射線画像ｐが表示部Ｃａ上に表示されない場合もある。
【００５０】
［放射線画像撮影システムについて（続き）］
本実施形態に係る放射線画像撮影システム１００（図４や図５参照）は、上記のように、放射線画像撮影装置１と、表示装置Ｃ（本実施形態ではコンソールＣ）と、チャンネル干渉検知部６１と、チャンネル切替制御部６２とを備えている。以下、チャンネル干渉検知部６１や表示装置Ｃ、チャンネル切替制御部６２における各処理について説明するとともに、本実施形態に係る放射線画像撮影システム１００の作用についてもあわせて説明する。
【００５１】
例えば無線ＬＡＮを用いて無線通信を行う場合、よく知られているように２．４ＧＨｚと５ＧＨｚの各帯域にそれぞれ複数のチャンネルが設けられている。本実施形態では、チャンネル干渉検知部６１やチャンネル切替制御部６２には、放射線画像撮影装置１からの無線方式による信号値Ｄ（プレビュー用の信号値Ｄpre等も含む。以下同じ。）の転送に使用するチャンネルとして、各帯域に設けられている各チャンネルのうち互いに周波数が重なり合わない複数のチャンネル（例えば２．４ＧＨｚ帯では１ｃｈ、６ｃｈ、１１ｃｈ、１４ｃｈ等）が予め設定されるようになっている。
【００５２】
その際、各帯域に設けられているチャンネルは各国ごとに異なるため、図示を省略するが、例えば、表示装置Ｃの表示部Ｃａ上に、放射線画像撮影システム５０が使用される国で使用可能なチャンネルの一覧を表示させ、放射線技師等にそれらの中から、放射線画像撮影装置１からの無線方式による信号値Ｄの転送に使用するチャンネルを選択させる。そして、選択されたチャンネルの情報を表示装置Ｃからチャンネル干渉検知部６１やチャンネル切替制御部６２に送信して設定するように構成することが可能である。
【００５３】
チャンネル干渉検知部６１は、アクセスポイント５４での無線通信で使用しているチャンネルにおいて無線の干渉が発生したことを検知することをできるようになっている。その際、チャンネル干渉検知部６１は、使用している各チャンネルにおける無線の干渉度合σを測定し、例えば測定した無線の干渉度合σが閾値σth以上になった場合に無線の干渉が発生したことは検知するように構成することが可能である。
【００５４】
そして、本実施形態では、チャンネル干渉検知部６１は、無線の干渉を検知すると、無線の干渉を検知したことを表す信号（以下、干渉検知信号という。）を表示装置Ｃに送信するようになっている。なお、チャンネル干渉検知部６１は、使用するチャンネルとして予め設定されたチャンネルのみについて無線の干渉等を検知するように構成することも可能であるが、他のチャンネルについても無線の干渉等の検知を行うように構成することも可能である。
【００５５】
また、チャンネル干渉検知部６１をアクセスポイント５４とは別体に設けることも可能であるが、上記のようにチャンネル干渉検知部６１はアクセスポイント５４での無線通信で使用する各チャンネルにおける無線の干渉等の検知を行うものであるため、本実施形態では、図４や図５に示したように、チャンネル干渉検知部６１はアクセスポイント５４に設けられている。
【００５６】
また、図示を省略するが、例えば、チャンネル干渉検知部６１が測定したチャンネルごとの無線の干渉度合σを表示装置Ｃの表示部Ｃａ上に表示させて、放射線技師等の操作者が各チャンネルにおける無線の干渉度合σを確認することができるように構成することも可能である。
【００５７】
一方、本実施形態では、チャンネル干渉検知部６１は、上記のように無線の干渉を検知する際に、気象レーダー等の所定のレーダーの干渉波（すなわち例えば規格ＩＥＥＥ８０２．１１ａでＤＦＳにより干渉を避けることが義務付けられている所定のレーダーの電波。以下同じ。）をも検知することができるようになっている。そして、本実施形態では、チャンネル干渉検知部６１は、気象レーダー等の所定のレーダーの干渉波を検知すると、レーダーの干渉波を検知したことを表す信号（以下、ＤＦＳ検知信号という。）を表示装置Ｃに送信するようになっている。
【００５８】
表示装置Ｃは、チャンネル干渉検知部６１から干渉検知信号やＤＦＳ検知信号を受信すると、チャンネル切替制御部６２にチャンネルの切り替えを指示する切り替え信号を送信する。そして、チャンネル切替制御部６２は、切り替え信号を受信すると、放射線画像撮影装置１からの無線方式による信号値Ｄの転送に使用するチャンネルを他のチャンネルに切り替えるようになっている。
【００５９】
その際、本実施形態では、チャンネル切替制御部６２は、表示装置Ｃから干渉検知信号を受信すると、例えば、チャンネル干渉検知部６１から予め設定された各チャンネルについて測定した無線の各干渉度合σの情報を送信させ（或いは予め設定された各チャンネルについてチャンネル干渉検知部６１に無線の干渉度合σをそれぞれ測定させた後で無線の各干渉度合σの情報を送信させ）、それらの情報に基づいて、無線の干渉度合σがより少ないチャンネル（例えば無線の干渉度合σが最も小さいチャンネル）を選択して切り替えるように構成されている。
【００６０】
そして、このように構成すれば、切り替えられた後のチャンネルでは無線の干渉度合σが現状のチャンネルより少ないため、放射線画像撮影装置１からの無線方式による信号値Ｄの転送を行い易くなる。なお、以下では、チャンネル切替制御部６２が、このように無線の干渉度合σがより少ないチャンネルを選択して切り替えるように構成されている場合について説明するが、必ずしもこのように構成される必要はなく、例えば、チャンネル切替制御部６２は、予め定められた優先順位に基づいてチャンネルを切り替えるように構成することも可能である。
【００６１】
そして、表示装置Ｃは、チャンネル干渉検知部６１から干渉検知信号を受信すると、チャンネル切替制御部６２に切り替え信号を送信するとともに、上記のようにチャンネル切替制御部６１がチャンネルの切り替えを行っている間、例えば図７に示すように、表示部Ｃａ（図４〜図６参照）上に「チャンネル変更中」等の表示Ａ１を表示する等して、放射線技師等の操作者にチャンネルの切り替え中であることを通知するようになっている。
【００６２】
このように、チャンネル切替制御部６２が放射線画像撮影装置１からの無線方式による信号値Ｄの転送に使用するチャンネルを切り替えている間、表示装置Ｃでチャンネルの切り替え中であることを通知するように構成することで、放射線技師等の操作者が、チャンネルが切り替えられていることを的確に把握することが可能となる。
【００６３】
また、前述したように、例えば無線ＬＡＮの場合、チャンネルの切り替えには１分程度の時間がかかる。そのため、例えば図７に示すように、チャンネルの切り替え中であることの表示Ａ１とともに、例えば「チャンネル移動に１分程度かかります。」等の表示Ａ２を表示することで、チャンネルの切り替えに要する時間ｔを表示するように構成することも可能である。このように構成すれば、表示Ａ２を見た放射線技師等の操作者に、チャンネルの切り替えに１分程度の時間がかかることを的確に認識させることが可能となる。
【００６４】
なお、図７に示したようにチャンネルの切り替えに要する時間ｔ（例えば１分程度）の表示Ａ２を行う代わりに、或いは時間ｔの表示Ａ２とあわせて、図示を省略するが、例えばチャンネルの切り替えを開始してからの経過時間を、例えば文字で表示したりプログレスバーで表示する等して表示するように構成することも可能である。このように構成すれば、操作者が、チャンネルの切り替えに今後どれくらいの時間がかかるかを的確かつ容易に把握することが可能となる。
【００６５】
また、表示装置Ｃによるチャンネルの切り替え中であること等の通知の仕方としては、上記のように、表示部Ｃａ上に表示することで通知するように構成することも可能であるが、表示とともに、或いは表示は行わずに、例えば音声や振動（特に表示装置Ｃを携帯端末（図６参照）で構成する場合）で行うように構成することも可能である。上記のように表示部Ｃａ上に表示して通知する場合は、本発明における通知部は表示部Ｃａであり、音声や振動で通知する場合は、通知部は図示しないスピーカーや振動発生手段ということになる。
【００６６】
そして、このようにチャンネルの切り替え中であることを音声や振動で通知するように構成しても、上記と同様に、放射線技師等の操作者が音声や振動を認識することで、チャンネルが切り替えられていることを的確に把握することが可能となる。
【００６７】
なお、この場合、上記のようにチャンネル切替制御部６２によってチャンネルが切り替えが行われている１分程度の間ずっと音声や振動を発生させるように構成すると、放射線技師等の操作者の作業の邪魔になる可能性がある。そのため、表示装置Ｃの表示部Ｃａ等の通知部は、チャンネル切替検知部６１が無線の干渉を検知した時点で、音声や振動を所定期間発生させた後、一旦、音声や振動を停止させ、チャンネル切替制御部６２によるチャンネルの切り替えが完了した時点で、再度、音声や振動を発生させるように構成することが可能である。
【００６８】
また、その際、チャンネル切替制御部６２によるチャンネルの切り替えが完了した時点時での音声や振動の発生のさせ方を、チャンネル切替検知部６１が無線の干渉を検知した時点での音声や振動の発生のさせ方とは異なる発生のさせ方とすることで、両者を区別して通知することが可能となる。そのため、このように構成すれば、放射線技師等の操作者は、チャンネル切替検知部６１が無線の干渉を検知したこととは的確に区別して、チャンネルの切り替えが完了したことを的確かつ確実に認識することが可能となる。
【００６９】
［効果］
以上のように、本実施形態に係る放射線画像撮影システム１００によれば、表示装置Ｃは、チャンネル干渉検知部６１が無線の干渉を検知したり気象レーダー等の所定のレーダーの干渉波を検知して、チャンネル切替制御部６２がチャンネルの切り替えを行っている間、表示部Ｃａ上に表示させたり音声や振動を発生させて、放射線技師等の操作者にチャンネルの切り替え中であることを通知するため、放射線技師等の操作者は、チャンネルが切り替えられていることを的確に把握することが可能となる。
【００７０】
その際、表示装置Ｃは、放射線画像撮影装置１から転送された信号値Ｄやプレビュー用の信号値Ｄpreに基づいて生成された放射線画像ｐやプレビュー用の放射線画像ｐpreが表示する装置であり、放射線技師等の操作者が、撮影時に必ず使用する装置である。そのため、本実施形態のように、そのような撮影時に必ず使用される表示装置Ｃでチャンネルの切り替え中であることを通知するように構成することで、操作者にチャンネルが切り替え中であることを的確に通知することが可能となり、操作者はチャンネルの切り替えが行われていることを的確かつ確実に把握することが可能となる。
【００７１】
そのため、例えば図４や図５に示した放射線画像撮影システム１００において無線の干渉が生じる等して、放射線画像撮影装置１からの信号値Ｄの転送に使用するチャンネルが切り替えられているために信号値Ｄの転送が中断しているにもかかわらず、放射線技師等の操作者が信号値Ｄの転送が中断している原因が分からず業務の妨げになったり、信号値Ｄの転送が中断している原因がシステムに故障が生じたためであると勘違いして不要な操作や処理を行ってしまうこと等を的確に防止して、撮影業務を適切に行うことが可能となる。
【００７２】
［変形例］
上記のように、本実施形態に係る放射線画像撮影システム１００では、表示装置Ｃがチャンネルの切り替え中であることを通知することで、チャンネルが切り替えられていることを放射線技師等の操作者が的確に把握することができるように構成されている。そして、放射線技師等の操作者がチャンネルの切り替えをより的確に認識することができるようにするために、種々の変形が可能である。
【００７３】
なお、以下では、表示装置Ｃが表示部Ｃａ（図４〜図６参照）に表示することで放射線技師等の操作者に通知する場合について説明するが、表示を行う代わりに、或いはそれとともに、音声や振動（特に表示装置Ｃを携帯端末（図６参照）で構成する場合）で通知するように構成することも可能であることは前述した通りである。
【００７４】
［変形例１］
また、表示装置Ｃは、上記のようにチャンネル干渉検知部６１が無線の干渉を検知して送信した干渉検知信号を受信した際に、図８に示すように、無線の干渉を検知した旨を表す表示Ａ３を表示部Ｃａ上に表示する等して通知するように構成することが可能である。また、表示装置Ｃは、上記のようにチャンネル干渉検知部６１が気象レーダー等の所定のレーダーの干渉波を検知して送信したＤＦＳ検知信号を受信した際には、図９に示すように、レーダー波を検知した旨を表す表示Ａ４を表示部Ｃａ上に表示する等して通知するように構成することが可能である。
【００７５】
このように構成すれば、放射線技師等の操作者に、無線の干渉が生じたこと（表示Ａ３）や気象レーダー等の所定のレーダーの干渉波が検知されたこと（表示Ａ４）を的確に通知することが可能となる。
【００７６】
［変形例２］
そして、チャンネル干渉検知部６１により無線の干渉を検知された場合、放射線技師等の操作者が、次の処理として、放射線画像撮影装置１から転送された信号値Ｄに基づく放射線画像ｐの生成処理を行うような場合には、チャンネルを切り替えて放射線画像撮影装置１からコンソールＣにできるだけ早期に信号値Ｄを転送させた方がよい。そのため、このような場合には、操作者はチャンネルの切り替えを指示することになる。
【００７７】
しかし、操作者が次に行う処理が、例えば次の患者に対する撮影の準備であるような場合には、次の患者を撮影室Ｒａ（図４参照）に迎え入れたり、回診車７０を次の病室Ｒ１（図５参照）に移動させたりするために時間がかかる。そのため、そのような場合には、操作者は、放射線画像撮影装置１からコンソールＣに急いで信号値Ｄを転送させる必要はないため、チャンネルの切り替えは不要であると判断する場合がある。
【００７８】
また、例えば放射線画像撮影装置１から表示装置Ｃにプレビュー用の信号値Ｄpreを転送する場合、前述したように、プレビュー用の信号値Ｄpreは全ての信号値Ｄよりもデータ量が少ない（図３参照）。そのため、放射線技師等の操作者は、チャンネル干渉検知部６１が無線の干渉を検知した場合、１分程度の時間をかけてチャンネルを切り替えた後でプレビュー用の信号値Ｄpreを転送させるよりも、現状のチャンネルですぐにプレビュー用の信号値Ｄpreの転送を開始させた方が、プレビュー用の信号値Ｄpreの転送がより早期に終了するためチャンネルの切り替えは不要であると判断する場合もある。
【００７９】
このように、チャンネル干渉検知部６１が無線の干渉を検知した場合、放射線技師等の操作者は、チャンネルに切り替えが必要であると判断する場合もあり、或いはチャンネルの切り替えは不要であると判断する場合もある。そのため、上記の実施形態では、表示装置Ｃが、チャンネル干渉検知部６１から干渉検知信号を受信するとすぐにチャンネル切替制御部６２にチャンネルの切り替えを指示する切り替え信号を送信するように構成する場合を示したが、それに代えて、例えば以下のように構成することが可能である。
【００８０】
すなわち、表示装置Ｃは、チャンネル干渉検知部６１が無線の干渉を検知した際には、例えば図８に示すように、無線の干渉を検知した旨を表す表示Ａ３を表示部Ｃａ上に表示する等して通知するとともに、例えば「チャンネル切り替えを実施しますか？」等の表示Ａ５をと表示する等して放射線技師等の操作者の判断を仰ぐ。
【００８１】
そして、表示装置Ｃは、放射線技師等の操作者によりチャンネルの切り替えを指示する信号の入力があった場合（すなわち例えば図８中の「ＯＫ」のボタンアイコンＢ１がクリックされた場合）に、チャンネル切替制御部６２に切り替え信号を送信するように構成することが可能である。
【００８２】
また、この場合、表示装置Ｃは、操作者によりチャンネルの切り替えを行わない旨の入力があった場合（すなわち例えば図８中の「Ｃａｎｃｅｌ」のボタンアイコンＢ２がクリックされた場合）には、チャンネル切替制御部６２には切り替え信号を送信しないように構成される。
【００８３】
このように構成すれば、放射線技師等の操作者の判断にあわせて、表示装置Ｃがチャンネルの切り替えを実施し、或いは切り替えを実施しないようになるため、放射線画像撮影システム１００が操作者にとって使い勝手が良いものとなる。なお、その際、例えば図８に示すように、前述したチャンネルの切り替えに要する時間ｔ（例えば１分程度）の表示Ａ２も表示するように構成すれば、操作者が、チャンネルの切り替えに要する時間ｔを考慮した上で、チャンネルの切り替えを実施するか否かの判断を的確に行うことが可能となる。
【００８４】
［変形例３］
一方、前述したように、無線ＬＡＮでは、規格ＩＥＥＥ８０２．１１ａで、気象レーダー等の所定のレーダーの干渉波を検知した場合にはＤＦＳにより干渉を避けることが義務付けられている。そのため、チャンネル干渉検知部６１が、無線の干渉ではなく、気象レーダー等の所定のレーダーの干渉波を検知した場合には、即座にチャンネルを切り替えることが必要になる。
【００８５】
そのため、本実施形態では、表示装置Ｃは、チャンネル干渉検知部６１が所定のレーダーの干渉波を検知してＤＦＳ検知信号を送信してくると、即座に、チャンネル切替制御部６２に対してチャンネルの切り替えを指示する切り替え信号を送信するようになっている。そして、チャンネル切替制御部６２は、切り替え信号を受信すると、上記のようにして、放射線画像撮影装置１からの無線方式による信号値Ｄの転送に使用するチャンネルを切り替える。
【００８６】
このように構成すれば、チャンネル干渉検知部６１が気象レーダー等の所定のレーダーの干渉波を検知した際に、放射線画像撮影装置１からの無線方式による信号値Ｄの転送に使用するチャンネルを、即座に他のチャンネルに切り替えることが可能となり、所定のレーダーの干渉波と放射線画像撮影装置１から転送される信号値Ｄとが干渉することを的確に回避することが可能となる。
【００８７】
なお、上記の変形例２の、チャンネル干渉検知部６１が無線の干渉を検知した場合とは異なり、この変形例３のようにチャンネル干渉検知部６１が所定のレーダーの干渉波を検知した場合には、表示装置Ｃは、チャンネル干渉検知部６１からのＤＦＳ検知信号を受信すると、放射線技師等の操作者の判断を仰ぐことなく、チャンネル切替制御部６２に対して切り替え信号を送信してチャンネルの切り替えを行わせる。
【００８８】
そのため、チャンネル干渉検知部６１が所定のレーダーの干渉波を検知した場合には、放射線技師等の操作者に、操作者の判断を仰ぐことなくチャンネルの切り替えを行うことを認識させるために、例えば図９に示したように表示部Ｃａ上にレーダー波を検知した旨を表す表示Ａ４やチャンネルの移動を表す表示Ａ６（さらにチャンネルの切り替えに要する時間ｔ（例えば１分程度）の表示Ａ２）を表示する際に、例えばその背景ＢＧの部分を黄色等で表示する等して操作者の注意を喚起するように構成することが可能である。
【００８９】
なお、この場合は、上記のように放射線技師等の判断を仰ぐことはないため、図９に示すように、「ＯＫ」や「Ｃａｎｃｅｌ」のボタンアイコンＢ１、Ｂ２（図８参照）は表示されない。
【００９０】
［変形例４］
ところで、上記の変形例１〜３（図８や図９参照）は、チャンネルの切り替えを開始する時点での表示Ａ３〜Ａ６に関するものであり、上記の実施形態（図７参照）は、チャンネルの切り替え中の表示Ａ１に関するものであった。一方、上記の実施形態では、チャンネル切替制御部６２によるチャンネルの切り替えが完了した時点で、音声や振動を発生させるように構成することが可能であることについて説明した。
【００９１】
そして、表示装置Ｃは、チャンネル切替制御部６２によるチャンネルの切り替えが完了した時点で、例えば図１０に示すように、表示部Ｃａ上に「チャンネル変更が完了しました。」等の表示Ａ７を行って、チャンネルの切り替えが完了したことを放射線技師等の操作者に通知するように構成することが可能である。その際、上記のように音声や振動を発生させてもよい。
【００９２】
このように構成すれば、放射線技師等の操作者は、表示装置Ｃの表示部Ｃａ上の表示Ａ７を見て、チャンネルの切り替えが完了したことを的確かつ確実に認識することが可能となる。なお、この場合、図１０に示すように「ＯＫ」のボタンアイコンＢ３を表示させて操作者にクリックさせるように構成すれば、操作者にチャンネルが切り替えられたことをより確実に認識させることが可能となる。
【００９３】
なお、上記の実施形態や変形例では、チャンネル干渉検知部６１から表示装置Ｃに干渉検知信号やＤＦＳ検知信号を送信し、表示装置Ｃからチャンネル切替制御部６２に、必要に応じて（すなわち無線の干渉が検知された場合は放射線技師等の操作者の判断に応じて、気象レーダー等の所定のレーダーの干渉波が検知された信号の場合は無条件に）切り替え信号を送信するように構成されている場合について説明したが、必ずしもこのように構成する必要はない。
【００９４】
また、本発明が上記の実施形態や変形例等に限定されず、本発明の趣旨を逸脱しない限り、適宜変更可能であることは言うまでもない。
【符号の説明】
【００９５】
１  放射線画像撮影装置
７  放射線検出素子
５４  アクセスポイント
６１  チャンネル干渉検知部
６２  チャンネル切替制御部
１００  放射線画像撮影システム
Ａ１〜Ａ７  表示（通知）
Ｂ１  ボタンアイコン（チャンネルの切り替えを指示する信号の入力）
Ｃ  コンソール（表示装置）
Ｃａ  表示部（通知部）
Ｄ  信号値
Ｄpre  プレビュー用の信号値（信号値）
ｐ  放射線画像
ｐpre  プレビュー用の放射線画像（放射線画像）
σ  無線の干渉度合
【図１】
2017143940.tif 000003
【図２】
2017143940.tif 000004
【図３】
2017143940.tif 000005
【図４】
2017143940.tif 000006
【図５】
2017143940.tif 000007
【図６】
2017143940.tif 000008
【図７】
2017143940.tif 000009
【図８】
2017143940.tif 000010
【図９】
2017143940.tif 000011
【図１０】
2017143940.tif 000012